(57)【特許請求の範囲】
【請求項１】
電気供給用のコネクタ(38)とランプ(32)とを電気的に接続する接続具であって、
基部(46a,64a)に一体形成されて後方に延出し、前記コネクタ(38)が接続される第１ピン部(46b,64b)および基部(46a,64a)に一体形成されて前方に延出し、前記ランプ(32)が接続される複数の第２ピン部(46c,46c,64c,64c)を備える金属性の接続金具(46,64)を２本１組として構成される導電部材(40,62)と、
前記導電部材(40,62)における両接続金具(46,46,64,64)の基部(46a,46a,64a,64a)を着脱自在に前後方向から挟持する一対の挟持部材(42,44,66,72)と、
前記後側の挟持部材(42,66)に形成され、前記コネクタ(38)を着脱自在に保持する保持部(50,70)と、
前記後側の挟持部材(42,66)における前記保持部(50,70)に対応する位置に穿設され、前記各接続金具(46,46,64,64)の第１ピン部(46b,46b,64b,64b)が夫々挿通される一対の小孔(49,49)と、
前記前側の挟持部材(44,72)の後面に各基部(46a,64a)の形状に合う形状で夫々形成され、対応する基部(46a,64a)が収容されて位置決めされる一対の凹部(54,54,78,78)と、
前記前側の挟持部材(44,72)における各凹部(54,78)の各第２ピン部(46c)と対応する位置に夫々穿設され、該凹部(54,78)に基部(46a,64a)を収容した際に各第２ピン部(46c)が夫々前方に延出するよう挿通される複数の小孔(54a,78a)とからなり、
前記前側の挟持部材(44,72)の各凹部(54,78)に対応する接続金具(46,64)の基部(46a,64a)を夫々収容すると共に一対の挟持部材(42,44,66,72)の前後面を当接して導電部材(40,62)における接続金具(46,46,64,64)の基部(46a,46a,64a,64a)を位置決め挟持した状態で、前記保持部(50,70)にコネクタ(38)を嵌挿することにより、前記小孔(49,49)を介して該保持部(50,70)内に臨む前記第１ピン部(46b,46b,64b,64b)にコネクタ(38)が接続され、前側の挟持部材(44,72)から小孔(54a,54a)を介して前方に延出する対をなす第２ピン部(46c,46c,64c,64c)にランプ(32)を夫々接続することによって、コネクタ(38)とランプ(32)とを電気的に接続するよう構成した
ことを特徴とするランプの接続具。
【請求項２】
前記保持部(50)は、後方に開口して前記コネクタ(38)が後方から着脱自在に嵌挿される収容室(50a)を有する箱枠状に形成され、前記後側の挟持部材(42)の前記小孔(49,49)に挿通された前記第１ピン部(46b,46b)が収容室(50a)内に臨むよう構成した請求項１記載のランプの接続具。
【請求項３】
遊技盤に取着される取付板(26)に成形されて前方に延出する支持体(26a)に回転羽根車(28)が着脱可能に組付けられると共に、前記取付板(26)の後面に突設した取付体(30)に、電気供給用のコネクタ(38)とランプ(32)とを電気的に接続する接続具(34)が着脱自在に配設される回転案内具において、
前記接続具(34)は、
弧状に形成された基部(46a)に一体形成されて後方に延出し、前記コネクタ(38)が接続される第１ピン部(46b)および基部(46a)に一体形成されて前方に延出し、前記ランプ(32)が接続される複数の第２ピン部(46c,46c)を備える金属性の接続金具(46)を２本１組として、両接続金具(46,46)の基部(46a,46a)を凹側が対向するよう配置して構成される導電部材(40)と、
前記取付体(30)の後端に設けられた位置決め用の突起(30a)が挿通される中心通孔(52a)が穿設され、該中心通孔(52a)に突起(30a)を挿通することで取付体(30)に位置決めされる前側の挟持部材(44)と、
前記前側の挟持部材(44)の後面における前記中心通孔(52a)を挟む両側位置に、前記各接続金具(46)における基部(46a)の形状に合う弧状で対称に形成され、各接続金具(46)の基部(46a)が夫々収容されて位置決めされる一対の凹部(54,54)と、
前記前側の挟持部材(44)における各凹部(54)の前記各第２ピン部(46c)と対応する位置に夫々穿設され、該凹部(54)に基部(46a)を収容した際に各第２ピン部(46c)が前方に延出するよう挿通される複数の小孔(54a)と、
前記前側の挟持部材(44)の後面に前面を当接することで、前記両凹部(54,54)に収容されている両接続金具(46,46)の基部(46a,46a)を着脱自在に位置決め挟持すると共に、前側の挟持部材(44)の中心通孔(52a)に整列して前記取付体(30)の位置決め用の突起(30a)が挿通される中心通孔(48a)が穿設され、該中心通孔(48a)に突起(30a)を挿通することで取付体(30)に位置決めされる後側の挟持部材(42)と、
前記後側の挟持部材(42)の後側に形成され、前記コネクタ(38)を着脱自在に保持する保持部(50)と、
前記後側の挟持部材(42)における前記保持部(50)に対応する位置に穿設され、前記各接続金具(46)の第１ピン部(46b)が夫々挿通される一対の小孔(49,49)とからなり、
前記前側の挟持部材(44)の各凹部(54)に対応する接続金具(46)の基部(46a)を夫々収容すると共に一対の挟持部材(42,44)の前後面を当接して導電部材(40)における接続金具(46,46)の基部(46a,46a)を位置決め挟持した状態で、前記保持部(50)にコネクタ(38)を嵌挿することにより、前記小孔(49,49)を介して該保持部(50)内に臨む前記第１ピン部(46b,46b)にコネクタ(38)が接続され、前側の挟持部材(44)から小孔(54a,54a)を介して前方に延出する対をなす第２ピン部(46c,46c)にランプ(32)を夫々接続することによって、コネクタ(38)とランプ(32)とが電気的に接続され、
前記コネクタ(38)とランプ(32)とを電気的に接続した接続具(34)は、前記一対の挟持部材(42,44)の前後に整列する中心通孔(48a,52a)に前記位置決め用の中心突起(30a)を挿通することで前記取付体(30)に位置決めされた状態で、前記ランプ(32)が前記取付板(26)に形成された前後に貫通する通孔(26b)を介して前記回転羽根車(28)の後側に臨み得るよう構成される
ことを特徴とする回転案内具。
【発明の詳細な説明】
【０００１】
【発明の属する技術分野】
この発明は、ランプの接続具および回転案内具に関し、更に詳しくは、例えばパチンコ遊技機に用いられる各種の遊技部品に照明機能を付加する際のランプと電気供給用のコネクタとを電気的に接続する接続具および回転案内具に関するものである。
【０００２】
【従来の技術】
パチンコ遊技機に代表されるパチンコ機やアレンジボール機では、遊技盤の表面に、各種の遊技部品として、入賞用の遊技部品である大型の中央遊技部品や各種の入賞装置,入賞具と、表示用の遊技部品であるランプ付きの回転案内具やランプ表示具等が、各ゲーム形態に合わせて所定位置に配設されている。また近年にあっては、入賞用の遊技部品にも照明機能を付加して、更なる視覚的効果の向上を図っている。
【０００３】
これら照明機能を付加する場合に用いられる照明用具は、その多くのものが、所要形状に成形されて回路用のパターン線をプリント形成した基板に、フィラメント式ランプ(豆球)やＬＥＤランプ(発光ダイオード)等のランプを、金属製の接続ピンを介して接続された形態のものとされている。そして、この基板に接続した電気供給用のコネクタを介してランプに電気が供給される。
【０００４】
【発明が解決しようとする課題】
前述した照明用具については、基板とランプとの接続をなす接続ピンが、予じめ所定サイズ(長さ,直径),形状に形成されたもとで、そのピン端部を基板のパターン線の所要位置に透設された小孔に嵌挿し、次にピン端部の周囲とパターン線とを半田で接合して接続固定されている。そして、この接続ピンの基板から突出する支ピン部に対して、ランプを差込み接続するようになっている。このため、照明用具の製作に手間が掛かり量産化が図り難いものとなっている。
【０００５】
またランプを増やす場合は、該ランプと基板とが半田付けされるため、ランプの増加に伴って半田の使用量が多くなり、パチンコ機を廃棄したりリサイクルに際して、環境問題の点で不利となる難点が指摘される。更には、複数のランプを取付ける場合は、ランプとパターン線との接触部分が多くなって接触抵抗による電圧降下を生じたり、接触不良の発生確率が増える欠点を招く。
【０００６】
【発明の目的】
本発明は、前述した課題を好適に解決するべく提案されたものであって、プリント配線を施した基板を不要として、組立工数を低減し得ると共に環境を考慮した設計となっているランプの接続具および回転案内具を提供することを目的とする。
【０００７】
【課題を解決するための手段】
前記課題を解決し、初期の目的を達成するため、本発明に係るランプの接続具は、
電気供給用のコネクタとランプとを電気的に接続する接続具であって、
基部に一体形成されて後方に延出し、前記コネクタが接続される第１ピン部および基部に一体形成されて前方に延出し、前記ランプが接続される複数の第２ピン部を備える金属性の接続金具を２本１組として構成される導電部材と、
前記導電部材における両接続金具の基部を着脱自在に前後方向から挟持する一対の挟持部材と、
前記後側の挟持部材に形成され、前記コネクタを着脱自在に保持する保持部と、
前記後側の挟持部材における前記保持部に対応する位置に穿設され、前記各接続金具の第１ピン部が夫々挿通される一対の小孔と、
前記前側の挟持部材の後面に各基部の形状に合う形状で夫々形成され、対応する基部が収容されて位置決めされる一対の凹部と、
前記前側の挟持部材における各凹部の各第２ピン部と対応する位置に夫々穿設され、該凹部に基部を収容した際に各第２ピン部が夫々前方に延出するよう挿通される複数の小孔とからなり、
前記前側の挟持部材の各凹部に対応する接続金具の基部を夫々収容すると共に一対の挟持部材の前後面を当接して導電部材における接続金具の基部を位置決め挟持した状態で、前記保持部にコネクタを嵌挿することにより、前記小孔を介して該保持部内に臨む前記第１ピン部にコネクタが接続され、前側の挟持部材から小孔を介して前方に延出する対をなす第２ピン部にランプを夫々接続することによって、コネクタとランプとを電気的に接続するよう構成したことを特徴とする。
前記課題を解決し、初期の目的を達成するため、本願の別の発明に係る回転案内具は、
遊技盤に取着される取付板に成形されて前方に延出する支持体に回転羽根車が着脱可能に組付けられると共に、前記取付板の後面に突設した取付体に、電気供給用のコネクタとランプとを電気的に接続する接続具が着脱自在に配設される回転案内具において、
前記接続具は、
弧状に形成された基部に一体形成されて後方に延出し、前記コネクタが接続される第１ピン部および基部に一体形成されて前方に延出し、前記ランプが接続される複数の第２ピン部を備える金属性の接続金具を２本１組として、両接続金具の基部を凹側が対向するよう配置して構成される導電部材と、
前記取付体の後端に設けられた位置決め用の突起が挿通される中心通孔が穿設され、該中心通孔に突起を挿通することで取付体に位置決めされる前側の挟持部材と、
前記前側の挟持部材の後面における前記中心通孔を挟む両側位置に、前記各接続金具における基部の形状に合う弧状で対称に形成され、各接続金具の基部が夫々収容されて位置決めされる一対の凹部と、
前記前側の挟持部材における各凹部の前記各第２ピン部と対応する位置に夫々穿設され、該凹部に基部を収容した際に各第２ピン部が前方に延出するよう挿通される複数の小孔と、
前記前側の挟持部材の後面に前面を当接することで、前記両凹部に収容されている両接続金具の基部を着脱自在に位置決め挟持すると共に、前側の挟持部材の中心通孔に整列して前記取付体の位置決め用の突起が挿通される中心通孔が穿設され、該中心通孔に突起を挿通することで取付体に位置決めされる後側の挟持部材と、
前記後側の挟持部材の後側に形成され、前記コネクタを着脱自在に保持する保持部と、
前記後側の挟持部材における前記保持部に対応する位置に穿設され、前記各接続金具の第１ピン部が夫々挿通される一対の小孔とからなり、
前記前側の挟持部材の各凹部に対応する接続金具の基部を夫々収容すると共に一対の挟持部材の前後面を当接して導電部材における接続金具の基部を位置決め挟持した状態で、前記保持部にコネクタを嵌挿することにより、前記小孔を介して該保持部内に臨む前記第１ピン部にコネクタが接続され、前側の挟持部材から小孔を介して前方に延出する対をなす第２ピン部にランプを夫々接続することによって、コネクタとランプとが電気的に接続され、
前記コネクタとランプとを電気的に接続した接続具は、前記一対の挟持部材の前後に整列する中心通孔に前記位置決め用の中心突起を挿通することで前記取付体に位置決めされた状態で、前記ランプが前記取付板に形成された前後に貫通する通孔を介して前記回転羽根車の後側に臨み得るよう構成されることを特徴とする。
【０００８】
【作用】
一対の挟持部材で導電部材を挟持することで、一方の挟持部材に形成された保持部内に導電部材の第１ピン部が臨むと共に、該導電部材の複数の第２ピン部が他方の挟持部材から外方に延出する。保持部に電気供給用のコネクタを嵌挿することで、前記第１ピン部に該コネクタが接続される。そして、各第２ピン部にランプを夫々接続することで、コネクタと複数のランプとが電気的に接続される。
【０００９】
【発明の実施の形態】
次に、本発明に係るランプの接続具および回転案内具について、好適な実施例を挙げて、添付図面を参照しながら、以下詳細に説明する。なお本実施例では、遊技機として一般的なパチンコ機に配設される遊技部品に接続具を採用する場合を例示する。
【００１０】
そこで、先ず本実施例に係るパチンコ機について、図２を参照して要約説明する。このパチンコ機Ｐは、その基本的な構成として、縦長方形の外枠Ａの開口前面側に、各種の遊技用構成部材をセットする縦長方形の前枠Ｂが連結支持手段および施錠手段を利用して開閉および着脱可能に組付けられている。そしてこの前枠Ｂの前面側に、遊技盤Ｃの透視保護窓であるガラス扉Ｄと、上の球受け皿Ｅとが個々の連結支持手段等を利用して共に横開き形態で開閉可能に組付け整合される一方、前枠Ｂの下部に下の球受け皿Ｆおよび打球発射装置Ｇ等が装着セットされ、また前枠Ｂの裏側に各種の球径路および球処理・払出部等を備えた機構セット盤(図示せず)がセットされている。
【００１１】
前記前枠Ｂの正面内部に着脱可能にセットされる遊技盤Ｃは、図２に例示するように、略円形状に湾曲形成したレールにより囲まれた遊技領域の各部に、各種の電気的部品(フィラメントランプやＬＥＤランプ、スイッチやセンサー、ソレノイドやモータ等)を有する遊技部品例として、電飾具１０や回転案内具(一般にランプ付き風車ともいう)１２、入賞具１４、図柄表示装置１６および電動入賞装置１８等が夫々配設されている。そしてこれらの遊技部品の各種電気的部品が、ゲーム用の電子的な制御装置(図示せず)に夫々系統別に接続されて、ゲーム内容に合わせて入出制御(点灯,検出,駆動)されるようになっており、このもとで遊技領域で所定のパチンコゲームを展開して、特別ゲーム等の成立を現出し得るようになっている。
【００１２】
前記前枠Ｂに組付けられるガラス扉Ｄは、前枠Ｂの前面域に整合する方形サイズに合成樹脂成形されて、その中央部に略円形の窓口２０が開口されると共に、この窓口２０の裏側に透明な板ガラスが着脱自在にセットされて、窓口２０から遊技盤Ｃのゲーム領域を透視し得るよう構成される。またガラス扉Ｄの前面には、窓口２０の上部外周囲に、照明表示装置Ｌを設置可能にした設置部２２が成形されている。
【００１３】
実施例に係る回転案内具１２は、図１,図３および図４に示すように、遊技盤Ｃの前面にビス２４,２４で取着される取付板２６に一体的に成形されて前方に延出する小径の支持体２６ａに、大径の回転羽根車２８が前側から着脱可能に組付けられて構成される。取付板２６の後面に突設した取付体３０の後端中央に、位置決め用の中心突起３０ａが形成され、該中心突起３０ａを挟んで右側(図１において)にビス孔３０ｂが形成されると共に左側に位置決めピン３０ｃが形成されている。そして、中心突起３０ａおよび位置決めピン３０ｃを介して後述する接続具３４が回転案内具１２に位置決めされると共に、ビス５６をビス孔３０ｂに螺挿することで接続具３４が固定されるようになっている。なお、取付板２６における取付体３０を挟む上下位置に、前後に貫通する通孔２６ｂ,２６ｂが形成され、接続具３４に接続された各ランプ３２が対応の各通孔２６ｂを介して取付板２６の前側に臨み得るよう構成される。
【００１４】
前記回転案内具１２に実施されるランプ３２の接続具３４は、図１に示すように、電源用の接続線(通電用リード線ともいう)３６,３６が接続される電気供給用のメス型のコネクタ３８と、複数(実施例では２個)のランプ３２とを電気的に接続する導電部材４０と、該導電部材４０を挟持する一対の挟持部材４２,４４とから基本的に構成される。導電部材４０は、２本１組の金属性の接続金具４６,４６から構成される。各接続金具４６は、弧状に形成された基部４６ａの上端に、後方に延出するよう一体形成された第１ピン部４６ｂを備え、該第１ピン部４６ｂに前記コネクタ３８が差込み接続されるよう構成される。また基部４６ａの上端および下端には、前方に延出する２本の第２ピン部４６ｃ,４６ｃが一体形成され、各第２ピン部４６ｃにランプ３２が差込み接続されるようになっている。
【００１５】
前記導電部材４０を挟持する一方の第１挟持部材４２は、円盤状の本体４８の中心に中心通孔４８ａが穿設され、該中心通孔４８ａを挟んで右側(図１において)にビス用孔４８ｂが穿設されると共に左側に位置決め用通孔４８ｃが穿設されている。また第１挟持部材４２には、中心通孔４８ａの上側に、後方に開口する収容室５０ａを有する箱枠状の保持部５０が形成され、該保持部５０の収容室５０ａに後方から前記コネクタ３８が着脱自在に嵌挿されるようになっている。なお保持部５０には、コネクタ３８に係脱可能に係合する係合爪(図示せず)が設けられ、収容室５０ａに嵌挿したコネクタ３８が保持部５０から容易に脱落することがないよう構成してある。そして、両挟持部材４２,４４で挟持された一対の接続金具４６,４６の第１ピン部４６ｂ,４６ｂが、本体４８の保持部５０と対応する位置に穿設された小孔４９,４９を介して収容室５０ａ内に臨み、該第１ピン部４６ｂ,４６ｂにコネクタ３８が差込み接続されるようになっている(図４参照)。
【００１６】
前記導電部材４０を挟持する他方の第２挟持部材４４は、第１挟持部材４２の本体４８と同径円盤状の本体５２を備え、該本体５２の中心に中心通孔５２ａが穿設される。また、本体５２の中心通孔５２ａを挟む右側(図１において)にビス用孔５２ｂが穿設されると共に、左側に位置決め用通孔５２ｃが穿設され、両挟持部材４２,４４で導電部材４０を挟持した際に、中心通孔４８ａ,５２ａ、ビス用孔４８ｂ,５２ｂおよび位置決め用通孔４８ｃ,５２ｃが夫々前後に整列するよう構成される。前記本体５２の後面には、中心通孔５２ａを挟む両側位置に、各接続金具４６における基部４６ａの形状に合う凹部５４が左右対称に形成され、各凹部５４に接続金具４６の基部４６ａが収容されるよう構成される。すなわち、各凹部５４に対応する接続金具４６を夫々収容した状態で、一対の挟持部材４２,４４の前後面を当接することで、両接続金具４６,４６が位置決め状態で挟持される。なお、本体５２の各凹部５４内には、各接続金具４６の各第２ピン部４６ｃの挿通を許容する小孔５４ａが対応的に穿設されており(図４参照)、各小孔５４ａを介して第２ピン部４６ｃが本体５２から前方(外方)に延出するようになっている。
【００１７】
【実施例の作用】
次に、実施例に係るランプの接続具の作用につき説明する。前記回転案内具１２にランプ３２を取付けるに際しては、前記第２挟持部材４４の各小孔５４ａを介して各接続金具４６の各第２ピン部４６ｃを前方へ延出した状態で、該接続金具４６の基部４６ａを凹部５４に収容する。次いで、各接続金具４６の第１ピン部４６ｂを第１挟持部材４２の保持部５０における収容室５０ａ内に臨ませるようにして、接続金具４６,４６を一対の挟持部材４２,４４で挟持する。このとき、両挟持部材４２,４４の対応する中心通孔４８ａ,５２ａ、ビス用孔４８ｂ,５２ｂおよび位置決め用通孔４８ｃ,５２ｃが夫々前後に整列する。
【００１８】
このように２本の接続金具４６,４６からなる導電部材４０を一対の挟持部材４２,４４で挟持した接続具３４において、前記第２挟持部材４４から前方に延出する第２ピン部４６ｃ,４６ｃにランプ３２を差込み接続する。そして、この接続具３４を、前記回転案内具１２に対し、両挟持部材４２,４４の中心通孔４８ａ,５２ａおよび位置決め用通孔４８ｃ,５２ｃに、中心突起３０ａおよび位置決めピン３０ｃが挿通する状態で位置決めする。また、両挟持部材４２,４４のビス用孔４８ｂ,５２ｂに後方から挿通したビス５６を、回転案内具１２のビス孔３０ｂに螺挿することで、２個のランプ３２,３２が取付けられた接続具３４が回転案内具１２に位置決め固定される。なお、このとき接続具３４に取付けられた上下のランプ３２,３２は、図４に示す如く、前記取付板２６の対応する通孔２６ｂ,２６ｂから前方に延出し、前記回転羽根車２８を後側から照明し得るようになる。
【００１９】
前記回転案内具１２に配設された接続具３４では、前記保持部５０の収容室５０ａ内に接続金具４６,４６の第１ピン部４６ｂ,４６ｂが臨んでいるので、該保持部５０に後方からコネクタ３８を嵌挿することで、該コネクタ３８に第１ピン部４６ｂ,４６ｂが差込み接続される。これにより、電気供給用のコネクタ３８と、２個のランプ３２,３２とが導電部材４０を介して電気的に接続される。そしてこの取付け状態において、コネクタ３８を介して各ランプ３２に電気を供給することで、前記回転羽根車２８を後側から照明し得る。
【００２０】
また回転案内具１２から接続具３４を取外す場合は、実施例では１本のビス５６を外すことで簡単に行ない得る。なお、接続具３４に対してランプ３２,３２およびコネクタ３８は、接続金具４６の各ピン部４６ｂ,４６ｃに差込み接続されているだけなので、取外しも簡単に行なうことができる。
【００２１】
前述した実施例の接続具３４では、一対の挟持部材４２,４４で挟持した導電部材４０の第１ピン部４６ｂ,４６ｂにコネクタ３８を接続すると共に、第２ピン部４６ｃ,４６ｃにランプ３２を接続することにより、ランプ３２とコネクタ３８とが電気的に接続される。すなわち、ランプ３２のコネクタ３８への接続に際して、煩雑な半田付け作業およびプリント配線を施した基板を不要・省略し得るので、作業時間を短縮し得ると共に作業の簡略化を図り、また部品点数の低減により製造コストを低廉に抑えることができる。更に、半田を使用しないから、廃棄やリサイクルに際して多量の半田が廃棄される事態を防止し、環境を考慮した設計となっている。なお、接続具３４に対するコネクタ３８やランプ３２の取付けや取外し、および導電部材４０の取付けや取外しは簡単に行ない得るので、ランプ３２や導電部材４０等に不具合が発生した場合の交換を短時間で簡単に行なうことができる。
【００２２】
【別の実施例】
図５は、接続具の別の実施例を示すものであって、１つのコネクタ３８に対して３個のランプ３２,３２,３２を接続可能な接続具６０を示す。なお、別の実施例に係る接続具６０と前述した実施例の接続具３４とは基本的な構成は同じであるので、異なる部分について主に説明する。すなわち、別の実施例の接続具６０を構成する導電部材６２の各接続金具６４は、直線的に形成された基部６４ａの上端に、後方に延出する第１ピン部６４ｂが形成されると共に、該基部６４ａの上端、下端およびその中間に、前方に延出する合計３つの第２ピン部６４ｃ,６４ｃ,６４ｃが形成されている。
【００２３】
前記導電部材６２を挟持する一方の第１挟持部材６６は、小判状の本体６８を備え、該本体６８には、その中心を挟んで２つのビス用孔６８ａ,６８ａが左右に離間して穿設されている。また第１挟持部材６６には、その後面の上部位置に、コネクタ３８が嵌挿される収容室７０ａを有する保持部７０が形成され、該保持部７０に後方からコネクタ３８が嵌挿保持されるようになっている。そして、第１挟持部材６６と他方の第２挟持部材７２とで導電部材６２を挟持した際に、一対の接続金具６４,６４の第１ピン部６４ｂ,６４ｂが収容室７０ａ内に臨むよう構成される。
【００２４】
これに対して導電部材６２を挟持する他方の第２挟持部材７２は、第１挟持部材６６の本体６８と同一寸法の小判状の本体７４を備え、該本体７４には、その中心を挟んで２つのビス孔７４ａ,７４ａが左右に離間して穿設され、第１挟持部材６６の各ビス用孔６８ａに挿通したビス７６を対応するビス孔７４ａに夫々螺挿することで、両挟持部材６６,７２が固定されるよう構成される。また第２挟持部材７２の後面には、両ビス孔７４ａ,７４ａの間に、各接続金具６４の基部６４ａと一致する直線状の凹部７８が左右に離間して形成され、各凹部７８に接続金具６４の基部６４ａが収容されるようになっている。なお、各凹部７８には、接続金具６４における３つの第２ピン部６４ｃ,６４ｃ,６４ｃに対応する位置に小孔７８ａが夫々穿設されており、該接続金具６４の基部６４ａを凹部７８に収容した際に、各第２ピン部６４ｃが対応する小孔７８ａを介して前方(外方)に突出するよう構成される。
【００２５】
すなわち、図５に示す別の実施例に係る接続具６０によりコネクタ３８とランプ３２とを接続する場合は、先ず前記第２挟持部材７２の各小孔７８ａを介して各接続金具６４の各第２ピン部６４ｃを前方へ延出した状態で、該接続金具６４の基部６４ａを凹部７８に収容する。次いで、各接続金具６４の第１ピン部６４ｂを第１挟持部材６６の保持部７０における収容室７０ａ内に臨ませるようにして、接続金具６４,６４を一対の挟持部材６６,７２で挟持する。そして、第１挟持部材６６の各ビス用孔６８ａに後側から挿通したビス７６を、第２挟持部材７２の対応する各ビス孔７４ａに螺挿することで、両挟持部材６６,７２は２本の接続金具６４,６４からなる導電部材６２を挟持した状態で固定される。
【００２６】
前記第２挟持部材７２から前方に延出する対をなす第２ピン部６４ｃ,６４ｃにランプ３２を差込み接続すると共に、前記保持部７０の収容室７０ａに前記コネクタ３８を嵌挿して第１ピン部６４ｂ,６４ｂに差込み接続することで、１つの電気供給用のコネクタ３８と、３個のランプ３２,３２,３２とが導電部材６２を介して電気的に接続される。
【００２７】
このように構成した別の実施例に係る接続具６０においても、前述した実施例と同様の作用効果を奏する。なお、別の実施例に係る接続具６０では、回転案内具等の各種遊技部品に対しては、前記ビス７６を利用したり、別の固定部材を用いて取付けることが可能である。
【００２８】
なお、接続具に接続可能なランプの数は、実施例で示した２個または３個に限られるものでなく、導電部材に形成される第２ピン部の数を変更することで４個以上にも対応し得る。またランプとしては、ＬＥＤ等のその他の発光手段が適宜に使用可能である。更に、ランプを取付けた接続具を取付ける対象物としては、実施例で示した回転案内具に限定されるものでなく、入賞用の遊技部品や表示用の遊技部品等の各種の遊技部品でもよい。
【００２９】
【発明の効果】
以上説明した如く、本発明に係るランプの接続具および回転案内具によれば、電気供給用のコネクタとランプとを、一対の挟持部材で挟持した導電部材により接続するよう構成したので、煩雑で時間の掛かる半田付け工程を不要・省略することができ、作業時間を短縮して作業能率の向上を図り得る。また半田やプリント配線を施した基板を用いないので、部品点数を削減して組立工数を低減し得ると共に、廃棄やリサイクル等に伴う環境を考慮した作りになっている。更には、半田処理を施さないため、半田が剥がれてランプが消灯するというおそれもない。更にまた、導電部材を挟持する前側の挟持部材に、接続金具における基部の形成に合い、該基部を収容する凹部を形成することで、接続金具を確実に位置決めできる。
【００３０】
また、接続具に対するランプやコネクタの着脱が容易であるから、部品交換を効率的に行なうことができる。しかも、導電部材は一対の挟持部材で挟持されているだけであるから、該導電部材に不具合が発生した場合の交換も簡単に行なうことができる。更に、ランプを取付ける各対象部に対して接続具を共通化することが可能で、コストを削減し得る。
【００３１】
なお、１つの導電部材に複数のランプを直接取付けるので、半田等による接触部分が多くなって接触抵抗による電圧降下を生じたり、接触不良の発生確率が増えることはない。
【図面の簡単な説明】
【図１】本発明の好適な実施例に係るランプの接続具の分解斜視図である。
【図２】実施例に係る接続具を装備したパチンコ機の正面図である。
【図３】実施例に係る接続具を回転案内具に取付けた状態で示す斜視図である。
【図４】実施例に係る接続具および回転案内具の断面図である。
【図５】別の実施例に係る接続具の分解斜視図である。
【符号の説明】
１２  回転案内具
２６  取付板
２６ａ  支持体
２６ｂ  通孔
２８  回転羽根車
３０  取付体
３０ａ  位置決め用の中心突起(突起)
３２  ランプ
３８  コネクタ
４０  導電部材
４２  第１挟持部材(後側の挟持部材)
４４  第２挟持部材(前側の挟持部材)
４６  接続金具
４６ａ  基部
４６ｂ  第１ピン部
４６ｃ  第２ピン部
４８ａ  中心通孔
４９  小孔
５０  保持部
５０ａ  収容室
５２ａ  中心通孔
５４  凹部
５４ａ  小孔
６２  導電部材
６４  接続金具
６４ａ  基部
６４ｂ  第１ピン部
６４ｃ  第２ピン部
６６  第１挟持部材(後側の挟持部材)
７０  保持部
７２  第２挟持部材(前側の挟持部材)
７８  凹部
７８ａ  小孔
【図１】
0004344437.tif 000002
【図２】
0004344437.tif 000003
【図３】
0004344437.tif 000004
【図４】
0004344437.tif 000005
【図５】
0004344437.tif 000006